(57)【要約】  静電容量式タッチパネル１００は、第１の基板面１１と第２の基板面１２とを有する基板１０と、第１の基板面１１に対向して配置される操作用パネル２０と、第１の基板面１１と操作用パネル２０との間に配置される１または複数の導電性部材３０と、第２の基板面１２に配置される電極パターン４０と、基板１０に配置され電極パターン４０と１または複数の導電性部材３０とを結ぶジャンパー線５０とを備え、基板製作上の制約にかかわりなく検出感度の低下を抑制できる。
2017149680.tif 000002
【特許請求の範囲】
【請求項１】
第１の基板面と第２の基板面とを有する基板と、
前記第１の基板面に対向して配置される操作用パネルと、
前記第１の基板面と前記操作用パネルとの間に配置される１または複数の導電性部材と、
前記第２の基板面に配置される電極パターンと、
前記基板に配置され前記電極パターンと前記１または複数の導電性部材とを結ぶジャンパー線と
を備えたことを特徴とする静電容量式タッチパネル。
【請求項２】
前記１または複数の導電性部材はガスケットであることを特徴とする請求項１に記載の静電容量式タッチパネル。
【請求項３】
前記複数の導電性部材は、
第１の非導電部と前記第１の非導電部の側面を覆う第１の導電部とを有する第１の導電性部材と、
第２の非導電部と前記第２の非導電部の側面を覆う第２の導電部とを有する第２の導電性部材と
を備え、
前記第１の非導電部の端面は、前記第２の非導電部の端面に対向して配置されることを特徴とする請求項１に記載の静電容量式タッチパネル。
【請求項４】
前記１または複数の導電性部材に隣接して配置され、前記第１の基板面と前記操作用パネルとの間に配置される支持部を備えたことを特徴とする請求項１に記載の静電容量式タッチパネル。
【請求項５】
前記支持部は、前記基板に設けられる光源から射出される光を前記操作用パネルへ導く導光部を備えることを特徴とする請求項３に記載の静電容量式タッチパネル。
【発明の詳細な説明】
【技術分野】
【０００１】
本発明は、静電容量式タッチパネルに関する。
【背景技術】
【０００２】
特許文献１に開示される従来の静電容量式タッチパネルは、電極用基板と、電極用基板上に配置した検出用電極パターンと、操作入力の際に接触入力が行われるパネルと、検出用電極パターンとパネルとの間に設けた導電部材とを備える。検出用電極パターンはパネル側に配置されている。
【先行技術文献】
【特許文献】
【０００３】
【特許文献１】特開２００７−０３５３３４号公報
【発明の概要】
【発明が解決しようとする課題】
【０００４】
特許文献１の従来の静電容量式タッチパネルでは、検出感度を確保するために検出用電極パターンを基板のパネル側に配置している。ところが基板製作上の制約により、基板のパネル側とは反対側に検出用電極パターンを設けた場合、タッチパネルと検出用電極パターンとの距離が広がり、検出感度が低下するという課題があった。【０００５】
本発明は、上記に鑑みてなされたものであって、基板製作上の制約にかかわりなく検出感度の低下を抑制できる静電容量式タッチパネルを得ることを目的とする。
【課題を解決するための手段】
【０００６】
上述した課題を解決し、目的を達成するために、本発明の静電容量式タッチパネルは、第１の基板面と第２の基板面とを有する基板と、第１の基板面に対向して配置される操作用パネルと、第１の基板面と操作用パネルとの間に配置される１または複数の導電性部材と、第２の基板面に配置される電極パターンと、基板に配置され電極パターンと１または複数の導電性部材とを結ぶジャンパー線とを備えたことを特徴とする。
【発明の効果】
【０００７】
本発明によれば、基板製作上の制約にかかわりなく検出感度の低下を抑制できるという効果を奏する。
【図面の簡単な説明】
【０００８】
【図１】本発明の実施の形態１に係る静電容量式タッチパネルの断面図
【図２】本発明の実施の形態２に係る静電容量式タッチパネルを構成する第１の導電性部材および第２の導電性部材の斜視図
【図３】本発明の実施の形態２に係る静電容量式タッチパネルに対する比較例を示す図
【図４】本発明の実施の形態３に係る静電容量式タッチパネルの断面図
【図５】本発明の実施の形態３に係る静電容量式タッチパネルに対する比較例を示す図
【図６】本発明の実施の形態４に係る静電容量式タッチパネルの断面図
【発明を実施するための形態】
【０００９】
以下に、本発明の実施の形態にかかる静電容量式タッチパネルを図面に基づいて詳細に説明する。なお、この実施の形態によりこの発明が限定されるものではない。
【００１０】
実施の形態１．
図１は本発明の実施の形態１に係る静電容量式タッチパネルの断面図である。実施の形態１に係る静電容量式タッチパネル１００は、第１の基板面１１と第２の基板面１２とを有する基板１０と、第１の基板面１１に対向して配置される操作用パネル２０と、第１の基板面１１と操作用パネル２０との間に配置される複数の導電性部材３０とを備える。
【００１１】
また静電容量式タッチパネル１００は、第２の基板面１２に配置される電極パターン４０と、基板１０に配置され電極パターン４０と導電性部材３０とを結ぶジャンパー線５０と、導電性部材３０と第１の基板面１１との間に配置されジャンパー線５０を内包しつつ導電性部材３０とジャンパー線５０とを接続する導電性接着剤６０と、ジャンパー線５０と電極パターン４０とを接続する半田７０とを備える。
【００１２】
図１では、複数の導電性部材３０の内の１つの導電性部材３０のみ例示されている。導電性部材３０としてはガスケットを例示できる。導電性部材３０は、直方体形状であり、非導電部３２と非導電部３２の側面を覆う導電部３１とを備える。側面とは、非導電部３２の外周面の内、紙面手前側の非導電部３２の一端面と、紙面奥側の非導電部３２の他端面とを除く部分である。
【００１３】
電極パターン４０とジャンパー線５０とが半田７０により接続されているため、ジャンパー線５０全体の内、基板１０の第１の基板面１１側に配置されるジャンパー線５０の一部が、仮想的な電極パターン４０として機能する。すなわち電極パターン４０を、操作用パネル２０と対向する第１の基板面１１側に移動できる。
【００１４】
このように電極パターン４０を第１の基板面１１側に移動することにより、基板１０の製造上の制約により、第２の基板面１２側にしか電極パターン４０を形成することができない場合でも、ジャンパー線５０が設けられていない場合に比べて、電極パターン４０と導電性部材３０との間の距離を小さくでき、タッチ検出感度の低下を抑制できる。
【００１５】
一般的には、静電容量式タッチパネル１００は、操作用パネル２０と電極パターン４０とが誘電率の高い物質で接続されている場合、タッチ検出感度が高くなる。一方、操作用パネル２０と電極パターン４０との間に誘電率の低い物質または空気層が入るとタッチ検出感度が低くなる。基板１０が片面基板であり、電極パターン４０が操作用パネル２０側とは反対側の第２の基板面１２にしか配置できない場合、基板１０は誘電率の低い物質であるため、タッチ検出感度が低くなる。
【００１６】
実施の形態１の静電容量式タッチパネル１００によれば、基板１０の製造上の制約により、第２の基板面１２側にしか電極パターン４０を形成することができない場合でも、タッチ検出感度の低下を抑制できる。
【００１７】
実施の形態２．
図２は本発明の実施の形態２に係る静電容量式タッチパネルを構成する第１の導電性部材および第２の導電性部材の斜視図である。図２では図１に示す基板１０、操作用パネル２０およびジャンパー線５０の図示を省略している。実施の形態２の静電容量式タッチパネル１００−２と実施の形態１の静電容量式タッチパネル１００との相違点は以下の通りである。
（１）静電容量式タッチパネル１００−２では、複数の導電性部材３０の代わりに、第１の導電性部材３０−１および第２の導電性部材３０−２が用いられていること。
（２）第１の導電性部材３０−１は、第１の非導電部３２ａと第１の非導電部３２ａの側面を覆う第１の導電部３１ａとを有すること。
（３）第２の導電性部材３０−２は、第２の非導電部３２ｂと第２の非導電部３２ｂの側面を覆う第２の導電部３１ｂとを有すること。
（４）第１の非導電部３２ａの端面が第２の非導電部３２ｂの端面に対向して配置されること。
【００１８】
図３は本発明の実施の形態２に係る静電容量式タッチパネルに対する比較例を示す図である。図３では図１に示す基板１０、操作用パネル２０およびジャンパー線５０の図示を省略している。図３に示す静電容量式タッチパネル１００Ａは、第１の非導電部３２ａと第１の非導電部３２ａの側面を覆う第１の導電部３１ａとを有する第１の導電性部材３０−１と、第２の非導電部３２ｂと第２の非導電部３２ｂの側面を覆う第２の導電部３１ｂとを有する第２の導電性部材３０−２とを備える。
【００１９】
タッチ部位が近い場合、第１の導電性部材３０−１と第２の導電性部材３０−２との間の距離が狭くなる。図３に示す静電容量式タッチパネル１００Ａによれば、第１の導電部３１ａの外周面と第２の導電部３１ｂの外周面とが互いに対向するように配置されているため、第１の導電部３１ａおよび第２の導電部３１ｂが容量的に結合してしまい、タッチ検出感度が低下する。
【００２０】
実施の形態２の静電容量式タッチパネル１００−２によれば、第１の非導電部３２ａの端面が第２の非導電部３２ｂの端面に対向して配置されているため、第１の非導電部３２ａの側面を覆う第１の導電部３１ａの端面が、第２の非導電部３２ｂの側面を覆う第２の導電部３１ｂの端面に対向して配置される。従って、図３に示す静電容量式タッチパネル１００Ａに比べて、実施の形態２のタッチパネル１００−２では、第１の導電部３１ａおよび第２の導電部３１ｂの容量結合が小さくなり、タッチ検出感度の低下を抑制できる。
【００２１】
実施の形態３．
図４は本発明の実施の形態３に係る静電容量式タッチパネルの断面図である。図４では図１に示す電極パターン４０、ジャンパー線５０および半田７０の図示を省略している。実施の形態３に係る静電容量式タッチパネル１００−３と実施の形態１の静電容量式タッチパネル１００との相違点は以下の通りである。
（１）静電容量式タッチパネル１００−３では一対の支持部８０が設けられていること。
（２）操作用パネル２０は、基板１０の延長面に対して傾斜した角度で導電性部材３０に取付けられていること。
【００２２】
一対の支持部８０は、操作用パネル２０の水平方向の位置ズレを防止するために設けられている。一対の支持部８０は、それぞれが導電性部材３０に隣接して配置され、第１の基板面１１と操作用パネル２０との間に配置される。
【００２３】
図５は本発明の実施の形態３に係る静電容量式タッチパネルに対する比較例を示す図である。図５に示す静電容量式タッチパネル１００Ｂでは、図４に示す一対の支持部８０が設けられておらず、操作用パネル２０が基板１０の延長面に対して傾斜した角度で導電性部材３０に取付けられている。この場合、操作用パネル２０がタッチ操作されたときに、その押圧力により導電性部材３０が水平方向に変形するため、操作用パネル２０のタッチ部位と図示しない電極パターン４０との水平方向における位置にズレが発生しやすい。
【００２４】
図４に示す静電容量式タッチパネル１００−３によれば支持部８０によって導電性部材３０の水平方向における変形が抑制され、操作用パネル２０のタッチ部位と図示しない電極パターン４０との水平方向における位置ズレを抑制できる。
【００２５】
実施の形態４．
図６は本発明の実施の形態４に係る静電容量式タッチパネルの断面図である。図６では図１に示す電極パターン４０、ジャンパー線５０および半田７０の図示を省略している。実施の形態４に係る静電容量式タッチパネル１００−４と実施の形態３の静電容量式タッチパネル１００−３との相違点は以下の通りである。
（１）基板１０の第１の基板面１１には光源であるＬＥＤ（Ｌｉｇｈｔ  Ｅｍｉｔｔｉｎｇ  Ｄｉｏｄｅ）９０が設けられていること。
（２）支持部８０は、ＬＥＤ９０から射出される光を操作用パネル２０へ導く導光部１３を備えること。
【００２６】
実施の形態４によれば、ＬＥＤ９０から射出される光を意図した位置に導くことができると共に、意図しない部分への光漏れも防ぐことができる。
【００２７】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００２８】
１０  基板、１１  第１の基板面、１２  第２の基板面、１３  導光部、２０  操作用パネル、３０  導電性部材、３０−１  第１の導電性部材、３０−２  第２の導電性部材、３１  導電部、３１ａ  第１の導電部、３１ｂ  第２の導電部、３２  非導電部、３２ａ  第１の非導電部、３２ｂ  第２の非導電部、４０  電極パターン、５０  ジャンパー線、６０  導電性接着剤、７０  半田、８０  支持部、９０  ＬＥＤ、１００，１００−２，１００−３，１００−４，１００Ａ，１００Ｂ  静電容量式タッチパネル。
【図１】
2017149680.tif 000003
【図２】
2017149680.tif 000004
【図３】
2017149680.tif 000005
【図４】
2017149680.tif 000006
【図５】
2017149680.tif 000007
【図６】
2017149680.tif 000008
【手続補正書】
【提出日】平成30年2月22日(2018.2.22)
【手続補正１】
【補正対象書類名】特許請求の範囲
【補正対象項目名】全文
【補正方法】変更
【補正の内容】
【特許請求の範囲】
【請求項１】
第１の基板面と第２の基板面とを有する基板と、
前記第１の基板面に対向して配置される操作用パネルと、
前記第１の基板面と前記操作用パネルとの間に配置される複数の導電性部材と、
前記第１の基板面または前記第２の基板面に配置される電極パターンと
を備え、
前記複数の導電性部材は、
第１の非導電部と前記第１の非導電部の側面を覆う第１の導電部とを有する第１の導電性部材と、
第２の非導電部と前記第２の非導電部の側面を覆う第２の導電部とを有する第２の導電性部材と
を備え、
前記第１の非導電部の端面は、前記第２の非導電部の端面に対向して配置されることを特徴とする静電容量式タッチパネル。
【請求項２】
前記複数の導電性部材はガスケットであることを特徴とする請求項１に記載の静電容量式タッチパネル。
【請求項３】
前記複数の導電性部材に隣接して配置され、前記第１の基板面と前記操作用パネルとの間に配置される支持部を備えたことを特徴とする請求項１に記載の静電容量式タッチパネル。
【請求項４】
前記支持部は、前記基板に設けられる光源から射出される光を前記操作用パネルへ導く導光部を備えることを特徴とする請求項３に記載の静電容量式タッチパネル。
【手続補正２】
【補正対象書類名】明細書
【補正対象項目名】０００６
【補正方法】変更
【補正の内容】
【０００６】
上述した課題を解決し、目的を達成するために、本発明の静電容量式タッチパネルは、第１の基板面と第２の基板面とを有する基板と、第１の基板面に対向して配置される操作用パネルと、第１の基板面と操作用パネルとの間に配置される複数の導電性部材と、第１の基板面または第２の基板面に配置される電極パターンとを備え、複数の導電性部材は、第１の非導電部と第１の非導電部の側面を覆う第１の導電部とを有する第１の導電性部材と、第２の非導電部と第２の非導電部の側面を覆う第２の導電部とを有する第２の導電性部材とを備え、第１の非導電部の端面は、第２の非導電部の端面に対向して配置されることを特徴とする。
【国際調査報告】
2017149680.tif 000009
2017149680.tif 000010
2017149680.tif 000011
2017149680.tif 000012